(57)【要約】【課題】  草木の絡みつき等を防止して切れ味に優れ、刈払機のエンジンへの負荷を軽減させると共に、チップソー自体の寿命を向上させることが可能な草刈用チップソーを提供する。【解決手段】  中心位置に刈払機への取付穴が穿設された円板状の台金と、該台金の外周縁部に所定間隔で形成された多数のチップ取付部と、該チップ取付部にそれぞれ固着されたチップと、を備える草刈用チップソーにおいて、台金の隣接するチップ取付部間の外周縁が、各チップ取付部の最深位置より深くならない直線状かもしくは緩やかな曲線状の連続した線状に形成され、外周縁に内側に凹部や凹溝等からなる歪吸収手段が設けられることを特徴とする。【選択図】  図２
2005151954.tif 000002
【特許請求の範囲】
【請求項１】
中心位置に刈払機への取付穴が穿設された円板状の台金と、該台金の外周縁部に所定間隔で形成された多数のチップ取付部と、該チップ取付部にそれぞれ固着されたチップと、を備える草刈用チップソーにおいて、
前記台金の隣接するチップ取付部間の外周縁が、各チップ取付部の最深位置より深くならない連続した線状に形成されていることを特徴とする草刈用チップソー。
【請求項２】
前記外周縁は、直線状かもしくは緩やかな曲線状に形成されていることを特徴とする請求項１に記載の草刈用チップソー。
【請求項３】
前記台金の外周縁部の円環状部分に、該台金の歪みを吸収する歪吸収手段が設けられていることを特徴とする請求項１または２に記載の草刈用チップソー。
【請求項４】
前記歪吸収手段は、各チップ取付部間の外周縁より内側に設けられた台金の板厚方向の凹部もしくは凹溝であることを特徴とする請求項３に記載の草刈用チップソー。
【請求項５】
前記外周縁は、前記チップの逃げ面の延長線上より内側に位置する状態で、かつ当該逃げ面に略連続状態で形成されていることを特徴とする請求項１ないし４のいずれかに記載の草刈用チップソー。
【請求項６】
前記台金の外周縁部は、防塵油と研削パウダーを有する液体を使用してホーニング処理されていることを特徴とする請求項１ないし５のいずれかに記載の草刈用チップソー。
【発明の詳細な説明】
【技術分野】
【０００１】  本発明は、例えば雑草、雑木、小竹等の植物（草木という）を刈り払いする際に使用される草刈用チップソーに関する。
【背景技術】
【０００２】  従来、この種のチップソーとしては、例えば特許文献１に開示されている。このチップソー１０１は、図７に示すように、円板状の台金１０２の外周縁部１０３に、所定間隔でチップ取付凹部１０４と歯室１０５（ガレット）が形成され、各チップ取付凹部１０４内にチップ１０６をそれぞれ固着するようにしたものである。
【特許文献１】実開平６−７２３１９号公報
【発明の開示】
【発明が解決しようとする課題】
【０００３】  しかしながら、このようなチップソー１０１においては、その回転によりチップ１０６のすくい面１０６ａに直接当たる草木はスムーズに切断できるものの、歯室１０５がチップ取付凹部１０４の最深位置より深い窪み形状に形成されているため、刃が設けられていない歯室１０５内に草木が挟まって絡む等してスムーズに切断されない場合がある。その結果、チップソーの切れ味が劣り、刈払機のエンジンの回転を高回転に設定して使用する場合が多く、エンジンに無理な負荷が掛かると共に、チップ１０６自体にも強い負荷が掛かって欠ける場合がある等、チップソー１０１の寿命を低下させ易いという問題点を有している。【０００４】  本発明は、このような事情に鑑みてなされたもので、その目的は、草木の絡みつき等を防止して切れ味に優れ、刈払機のエンジンへの負荷を軽減させると共に、チップソー自体の寿命を向上させることが可能な草刈用チップソーを提供することにある。
【課題を解決するための手段】
【０００５】  かかる目的を達成すべく、本発明のうち請求項１に記載の発明は、中心位置に刈払機への取付穴が穿設された円板状の台金と、該台金の外周縁部に所定間隔で形成された多数のチップ取付部と、該チップ取付部にそれぞれ固着されたチップと、を備える草刈用チップソーにおいて、前記台金の隣接するチップ取付部間の外周縁が、各チップ取付部の最深位置より深くならない連続した線状に形成されていることを特徴とする。【０００６】  そして、前記外周縁は、請求項２に記載の発明のように、直線状かもしくは緩やかな曲線状に形成されていることが好ましい。また、請求項３に記載の発明のように、前記台金の外周縁部の円環状部分に、該台金の歪みを吸収する歪吸収手段が設けられていることが好ましく、この場合、前記歪吸収手段は、請求項４に記載の発明のように、各チップ取付部間の外周縁より内側に設けられた台金の板厚方向の凹部もしくは凹溝であることが好ましい。【０００７】  また、前記外周縁は、請求項５に記載の発明のように、前記チップの逃げ面の延長線上より内側に位置する状態で、かつ当該逃げ面に略連続状態で形成されていることが好ましく、また、請求項６に記載の発明のように、前記台金の外周縁部が防塵油と研削パウダーを有する液体を使用してホーニング処理されていることが好ましい。
【発明の効果】
【０００８】  本発明の請求項１に記載の発明によれば、台金の外周縁部に形成されるチップ取付部間の外周縁が、チップ取付部の最深位置より深くならないように設定されているため、チップ取付部間に窪み状の歯室が形成されることがなくなり、草木の絡みつき等が防止されて切れ味の優れたチップソーが得られ、刈払機のエンジンを高回転に設定する必要がなくなって、エンジンへの負荷を軽減させることができると共に、チップへの負荷も軽減されて寿命の長いチップソーを容易に得ること等が可能となる。【０００９】  また、請求項２に記載の発明によれば、請求項１に記載の発明の効果に加え、チップ取付部間の外周縁が直線状かもしくは緩やかな曲線状に形成されているため、外周縁部分で草木をチップのすくい面にスムーズに案内できて、一層切れ味に優れたチップソーを容易に得ることができると共に、窪み状の歯室が形成されない外周縁となり、台金の構成を簡略化して安価に形成することができる。【００１０】  また、請求項３に記載の発明によれば、請求項１または２に記載の発明の効果に加え、台金の外周縁部の円環状部分に台金の歪みを吸収する歪吸収手段が設けられているため、歪吸収手段に従来の窪み状の歯室の機能を持たせて、チップロウ付け時の台金の外周縁部の加熱による歪みや変形が防止され、台金回転時の外周縁部のブレ等が抑制されて、一層切れ味に優れたチップソーを得ることができる。【００１１】  また、請求項４に記載の発明によれば、請求項３に記載の発明の効果に加え、歪吸収手段が台金の各チップ取付部間の外周縁より内側に設けられた板厚方向の凹部もしくは凹溝であるため、例えばプレスにより台金に凹部や凹溝を形成することで歪吸収手段を台金の外周縁部に設けることができ、台金自体の構造を一層簡略化して安価に形成することができる。【００１２】  また、請求項５に記載の発明によれば、請求項１ないし４に記載の発明の効果に加え、チップ取付部間の外周縁が、チップの逃げ面の延長線上より内側に位置する状態で当該逃げ面に略連続状態で形成されているため、外周縁部分で草木をチップのすくい面にスムーズに案内できて、より一層切れ味に優れたチップソーを容易に得ることができる。【００１３】  さらに、請求項６に記載の発明によれば、請求項１ないし５に記載の発明の効果に加え、台金の外周縁部が防塵油と研削パウダーを有する液体を使用してホーニング処理されているため、チップロウ付け時の加熱による外周縁部の変色を、環境に優しい効果的なホーニング処理により除去（処理）できて、外観品質的に優れたチップソーを容易に得ることができる。
【発明を実施するための最良の形態】
【００１４】  以下、本発明を実施するための最良の形態を図面に基づいて詳細に説明する。
図１〜図３は、本発明に係わる草刈用チップソーの一実施形態を示し、図１がその平面図、図２がその要部の拡大図、図３が要部の断面図である。【００１５】  図１において、チップソー１は、円板状の台金２を有し、この台金２の中心位置には、図示しない刈払機への取付用の所定内径の取付穴３が形成されると共に、台金２の外周縁部４には、多数のチップ５が固着されている。チップ５は、図２に示すように、超硬金属等によりすくい面５ａと逃げ面５ｂを有するように略角柱形状に形成され、このチップ５のすくい面５ａと逃げ面５ｂを除く２つの固着面が、台金２の外周縁部４に形成された垂直面６ａと水平面６ｂからなる段差状のチップ取付部６の各面に、当接状態で例えば誘導加熱を利用したロウ付けによって固着されている。【００１６】  そして、各チップ取付部６間の台金２の外周縁７は略直線状になるように形成されている。すなわち、回転方向イの前後に位置する各チップ取付部６間の外周縁７は、前方のチップ取付部６の垂直面６ａの先端部から後方のチップ取付部６の水平面６ｂの先端部に向けて直線状に延びている。これにより、各チップ取付部６間の外周縁７が、各チップ取付部６の最深位置である水平面６ｂの先端部より深くなることがなく、かつ外周縁７がチップ５の逃げ面５ｂの延長線９より内側に位置し、各チップ取付部６間に従来のような窪んだ形状の歯室１０５に相当するものが存在しなくなる。【００１７】  なお、各チップ取付部６間の外周縁７は、図２の実線で示すように、その前方のチップ取付部６の垂直面６ａの先端部と後方のチップ取付部６の水平面６ｂの先端部に連続する状態で設けられるが、例えば図２の二点鎖線で示すように、各先端部に対して所定の段差８を有してチップ５が固着されるように、チップ５の形状やチップ取付部６の形状を設定することもできる。【００１８】  前記台金の外周縁部４には、図１及び図２に示すように、ホーニング処理部１０が設けられると共に、このホーニング処理部１０内に歪吸収手段としての凹部１１が設けられている。ホーニング処理部１０は、チップ取付部６にチップ５をロウ付けする際にその熱によって変色した台金２の外周縁部４を、防塵油と研削パウダーが混合された液体を回転ブラシ（図示せず）と台金２との間に供給して、回転ブラシで研磨することによって円環状に形成されている。このホーニング処理部１０により、台金２の外周縁部４に良好な外観が確保される。【００１９】  前記歪吸収手段としての凹部１１は、図３に示すように、台金２の外周縁部４を適宜の治具や金型でプレスすることによって、台金２の両面に板厚方向に所定深さｈ円形に凹んだ形状で、かつ各チップ取付部６間の外周縁７の内側で各チップ取付部６間の略中心位置に形成されている。これにより、凹部１１が台金２の外周縁部４の円環状位置に一定間隔で形成され、この凹部１１によって台金２の外周縁部４が腰入れされた状態となり、各チップ取付部６に高周波の誘導加熱を利用してチップ５をロウ付けする際の台金２の歪み等が吸収（抑制）されることになる。【００２０】  なお、この歪吸収手段としては、円形の凹部１１に限らず、例えば図４の実線で示すように、円弧形状の所定長さの凹溝１２であっても良いし、図４の二点鎖線で示すように、円弧形状の凹溝１２を連続させた円環状の凹溝１２であっても良い。また、凹部１１や凹溝１２は、台金２の両面の同一位置に同一形状で形成することが好ましいが、台金２の板厚やチップ取付部６の形状等によっては、同一形状もしくは異なる形状の凹部１１や凹溝１２を両面の異なる位置に設けることもできるし、円環状に沿って両面に交互に凹部１１や凹溝１２を設ける構造としても良く、適宜形状や配列の歪吸収手段を採用することができる。また、歪吸収手段としは、凹部１１や凹溝１２に限らず、焼き入れや焼き鈍し等の処理によって設けることも勿論可能である。【００２１】  また、各チップ取付部６間の前記外周縁７は、直線状に限らず、例えば図５の実線で示すように、外側に膨らんだ緩やかな曲線状や、図５の二点鎖線で示すように、内側に窪んだ緩やかな曲線状に形成しても良い。この曲線状の場合は、その曲率は、台金２の外周縁部４の曲率と略同一に設定することが好ましい。【００２２】  さらに、チップ取付部６の形状も、垂直面６ａと水平面６ｂを有する段差状の形状に限らず、例えば図６に示すように、前後の垂直面６ａと底面としての水平面６ｂを有する凹溝状の形状を採用することもでき、この場合も、チップ取付部６間の外周縁７は、チップ取付部６の水平面６ｂより深くならない直線状か曲線状に設定される。またこの場合、チップ５の形状もチップ取付部６の形状に応じて設定され、このようにチップ取付部６やチップ５の形状はチップソー１の用途や外形形状等に応じて適宜に設定することができる。【００２３】  このチップソー１によれば、取付穴３を刈払機の回転軸に装着してエンジンを作動させると、図１及び図２の矢印イ方向に所定の回転数で回転して、台金２の外周縁部４に固着したチップ５によって草木が刈り払いされる。この草木の刈り払いの際に、草木が回転している台金２の前後のチップ取付部６間の外周縁７に沿って案内されつつ後方のチップ５のすくい面５ａに当接して切断され、この外周縁７による草木の案内時に、外周縁７に窪み状の歯室１０５が存在しないことから、草木がチップ取付部６間の外周縁７に絡むことがなくなって、草木がスムーズに切断されることになる。【００２４】  このように上記実施形態のチップソー１にあっては、台金２の外周縁部４に形成されるチップ取付部６間の外周縁７が、各チップ取付部６の最深位置より深くならないように直線状や緩やかな曲線状に設定されているため、チップ取付部６間に従来のような窪み状の歯室１０５が形成されることがなくなり、各チップ取付部６間の台金２への草木の絡みき等が防止されて、各外周縁７で良好に案内された草木が各チップ５のすくい面５ａにスムーズに当接して切断され、切れ味の優れたチップソー１を得ることができる。【００２５】  その結果、刈払機のエンジンの回転を高回転に設定する必要がなくなって、エンジンへの負荷を軽減させることができると共に、切削音の低音化や刈払機のハンドル部分の振動の低減化が図れ、かつチップ５への負荷も軽減されて、チップ５自体の欠け等が防止されて寿命の長いチップソー１を容易に得ることが可能となる。また、同時に、切れ味に優れたチップソー１により、作業者への負担��軽減させることができると共に、草刈り作業自体の安全性を十分に高めること等も可能となる。【００２６】  また、各チップ取付部６間の外周縁７が直線状かもしくは緩やかな曲線状に形成されているため、台金２の外周縁７に従来のように大きく窪んだ歯室１０５を形成する必要がなくなり、台金２自体の形状が簡略化されて、台金作製用のプレス金型の形状の簡素化や台金２自体の製造コストの低減化等が図れて、安価でかつ寿命の長いチップソー１を提供することが可能となる。【００２７】  また、台金２の外周縁部４の円環状部分に台金２の歪み等を吸収する凹部１１や凹溝１２からなる歪吸収手段が設けられているため、歪吸収手段に従来の窪み状の歯室１０５の機能を持たせることができて、チップロウ付け時の台金２の外周縁部４の加熱による歪みや変形を防止することができ、台金２回転時の外周縁部４のブレ等が抑制されて、一層切れ味に優れたチップソー１を得ることが可能となる。特に、歪吸収手段が凹部１１や凹溝１２で形成されるため、例えばプレスにより台金２に簡単に形成することができて、台金２自体の構造を一層簡略化して安価なチップソー１を得ることができる。【００２８】  さらに、台金２の外周縁部４に、防塵油と研削パウダーを有する液体を使用してホーニング処理したホーニング処理部１０が設けられているため、チップロウ付け時の加熱による外周縁部４の変色を、環境に優しく液体の再利用が可能な効果的なホーニング処理によって除去（処理）することができ、従来にはない切れ味に優れかつ外観品質的にも優れた安価なチップソー１を得ることが可能となる。【００２９】  なお、上記実施形態においては、台金２の外周縁部４に所定間隔で設けられる各チップ取付部６間の全ての外周縁７を、チップ取付部６の水平面６ｂより深くならない同一形状に形成したが、本発明はこれに限定されず、例えば直線状の外周縁７と従来のような歯室１０５を有する外周縁とを交互もしくは所定個数毎に設ける構成を採用することもできるし、直線状の外周縁７と緩やかな曲線状の外周縁７等のように、異なる形状の外周縁７を組み合わせる構成を採用することもできる。また、上記実施形態における台金２の形態は一例であって、台金２の取付穴３の外周の所定の円環部分に台金２の反り防止や軽量化等の目的で、適宜の穴や開口等を設けることもできる。
【産業上の利用可能性】
【００３０】  本発明は、台金のチップ取付部にチップが固着される上記例に示した以外の各種形態のチップソーに適用できる。
【図面の簡単な説明】
【００３１】
【図１】  本発明に係わる草刈用チップソーの平面図
【図２】  同その要部の拡大図
【図３】  同その要部の断面図
【図４】  同歪吸収手段の変形例を示す図２と同様の拡大図
【図５】  同外周縁の変形例を示す図２と同様の拡大図
【図６】  同他の変形例を示す図２と同様の拡大図
【図７】  従来の草刈用チップソーの要部の拡大図
【符号の説明】
【００３２】  １・・・チップソー、２・・・台金、３・・・取付穴、４・・・外周縁部、５・・・チップ、５ａ・・・すくい面、５ｂ・・・逃げ面、６・・・チップ取付部、６ａ・・・垂直面、６ｂ・・・水平面、７・・・外周縁、８・・・段差、９・・・延長線、１０・・・ホーニング処理部、１１・・・凹部、１２・・・凹溝。
【図１】
2005151954.tif 000003
【図２】
2005151954.tif 000004
【図３】
2005151954.tif 000005
【図４】
2005151954.tif 000006
【図５】
2005151954.tif 000007
【図６】
2005151954.tif 000008
【図７】
2005151954.tif 000009